(57)【特許請求の範囲】
【請求項１】
管状の放電路が長手方向中央部を中心として略同一平面に沿って２重渦巻状に旋回された発光管と、前記発光管の両端部にそれぞれ設けられた一対の口金と、前記一対の口金の各々に設けられている一対のランプピンであって、各ランプピンが、前記略同一平面に垂直な方向に配置されると共に、前記発光管の軸方向に沿って突出して設けられている一対のランプピンと、前記一対の口金間を連結支持するブリッジとを備えた蛍光ランプと、
前記一対のランプピンが挿入される、前記略同一平面に垂直な方向に開口しているランプピン挿入溝を有し、前記ランプピン挿入溝には前記一対のランプピンの各々を保持する一対の導電板が設けられ、前記一対の導電板の各々を介して前記ランプピンと電気的に接続されて前記蛍光ランプに電力を供給するランプソケットと、
前記ランプソケットを介して前記蛍光ランプを保持する器具本体と、を備えた照明器具であって、
前記器具本体における前記蛍光ランプに対向する面に、前記蛍光ランプのブリッジを収容する凹部を設け、前記一対のランプピンを前記ランプピン挿入溝に押し込んで挿入しながら前記ブリッジを前記凹部に挿入可能とし、
かつ、前記凹部の内側面に、前記凹部の内側へ突出する凸部を複数設け、前記複数の凸部の先端間の間隔あるいは前記凸部の先端と前記凹部の側面との間隔を前記ブリッジの幅よりも小さくし、これによって、前記凹部が、押し込まれた前記ブリッジの側面を押圧保持することを特徴とする照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、放電路が２重渦巻状に旋回された蛍光ランプが知られている（例えば特許文献１参照）。
図７（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。また、ブリッジ１０２の中央部には、裏側に突出して口金１０３が設けられており、口金１０３の中央には、ランプピン１０４が設けられている。
【特許文献１】特開２００７−２７３３３０号公報（第１図）
【発明の開示】
【発明が解決しようとする課題】
【０００３】
しかしながら、前述した特許文献１に記載の蛍光ランプ１００を用いる照明器具においては、蛍光ランプ１００の発光管１０１の両端部１０１ｂ、１０１ｂを連結するブリッジ１０２が設けられているため、照明器具の高さが高くなるという問題があった。
【０００４】
また、図８に示す照明器具１１０のように、２重渦巻状に旋回された発光管１１１の両端部に口金１１２、１１２を設け、両口金１１２、１１２間にブリッジ１１３を設けた蛍光ランプ１１４を用いた場合においては、蛍光ランプ１１４の背面に対向する反射板１１５に切起し１１５ａを設けて、蛍光ランプ１１４の水平方向への移動を規制している。このため、ブリッジ１１３の高さを考慮して照明器具１１０の高さ決定しなければならず、照明器具１１０の高さが高くなるという問題があった。
【０００５】
本発明は、従来の問題を解決するためになされたもので、平面らせん形蛍光灯を用いた照明器具であって薄型化を図ることができる照明器具を提供することを目的とする。
【課題を解決するための手段】
【０００６】
本発明の照明器具は、管状の放電路が長手方向中央部を中心として略同一平面に沿って２重渦巻状に旋回された発光管と、前記発光管の両端部にそれぞれ設けられた一対の口金と、前記一対の口金の各々に設けられている一対のランプピンであって、各ランプピンが、前記略同一平面に垂直な方向に配置されると共に、前記発光管の軸方向に沿って突出して設けられている一対のランプピンと、前記一対の口金間を連結支持するブリッジとを備えた蛍光ランプと、前記一対のランプピンが挿入される、前記略同一平面に垂直な方向に開口しているランプピン挿入溝を有し、前記ランプピン挿入溝には前記一対のランプピンの各々を保持する一対の導電板が設けられ、前記一対の導電板の各々を介して前記ランプピンと電気的に接続されて前記蛍光ランプに電力を供給するランプソケットと、前記ランプソケットを介して前記蛍光ランプを保持する器具本体と、を備えた照明器具であって、前記器具本体における前記蛍光ランプに対向する面に、前記蛍光ランプのブリッジを収容する凹部を設け、前記一対のランプピンを前記ランプピン挿入溝に押し込んで挿入しながら前記ブリッジを前記凹部に挿入可能とし、かつ、前記凹部の内側面に、前記凹部の内側へ突出する凸部を複数設け、前記複数の凸部の先端間の間隔あるいは前記凸部の先端と前記凹部の側面との間隔を前記ブリッジの幅よりも小さくし、これによって、前記凹部が、押し込まれた前記ブリッジの側面を押圧保持する構成を有している。
【０００７】
この構成により、器具本体における蛍光ランプに対向する面に、蛍光ランプのブリッジを収容する凹部を設けたので、放電路が長手方向中央部を中心として略同一平面に沿って２重渦巻状に旋回された発光管を有する蛍光ランプの、発光管端部の口金間を連結するブリッジを収容することができ、照明器具の薄型化を図ることができる。
また、本発明の照明器具は、前記凹部が、前記ブリッジの側面を押圧保持する構成を有している。
この構成により、ブリッジは凹部に収容されて押圧保持されるため、蛍光ランプを保持する別部品を設けることなく蛍光ランプの移動を阻止することができ、部品点数を減少させて、コストダウンを図ることができる。
【発明の効果】
【００１０】
本発明は、器具本体における蛍光ランプに対向する面に、蛍光ランプのブリッジを収容する凹部を設けたので、放電路が長手方向中央部を中心として略同一平面に沿って２重渦巻状に旋回された発光管を有する蛍光ランプの、発光管端部の口金間を連結するブリッジを収容することができ、照明器具の薄型化を図ることができるという効果を有する照明器具を提供することができるものである。
【発明を実施するための最良の形態】
【００１１】
以下、本発明の実施の形態の照明器具について、図面を用いて説明する。
図１は本発明の第１実施形態にかかる照明器具を示す分解斜視図、図２（Ａ）は平面らせん形蛍光灯の平面図、図２（Ｂ）は図２（Ａ）中Ｂ方向から見た正面図、図３はランプソケットの斜視図、図４は平面らせん形蛍光灯のブリッジを凹部に嵌めた状態を示す側面図である。
【００１２】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１３】
また、底板１２の中央部および他方の端部よりには、蛍光ランプとしての平面らせん形蛍光灯２０の照明光をパネル１３側に反射して照明効率を向上させる反射板１６が設けられており、反射板１６の上面に、平面らせん形蛍光灯２０を装着するための一対のランプソケット１７、１７が取付けられている。これらランプソケット１７、１７は、電源線（図示省略）によって、点灯装置１４に接続されている。そして、反射板１６には、平面らせん形蛍光灯２０のブリッジ２４（図２（Ａ）、（Ｂ）参照）を収容するための凹部１８が設けられている。
【００１４】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光灯２０の平面に直交する方向に一対のランプピン２１が、発光管２２の軸方向に沿って突出して設けられている。
【００１５】
図３に示すように、ランプソケット１７には、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、本体１７ａの外周面に沿ってランプピン挿入溝１７ｂを閉じる開閉蓋１７ｄが設けられている。
【００１６】
従って、平面らせん形蛍光灯２０を器具本体１２に取付ける際には、平面らせん形蛍光灯２０の裏面に設けられているブリッジ２４を、反射板１６に設けられている凹部１８に位置決めするとともに、平面らせん形蛍光灯２０の両端のランプピン２１、２１をランプピン挿入溝１７ａに位置決めする。そして、ブリッジ２４を凹部１８に挿入しながら（図４参照）ランプピン２１、２１をランプピン挿入溝１７ａに挿入し、ランプピン２１、２１を押し込んで導電板１７ｃ、１７ｃにより保持した後、支持バネ（図示省略）で口金２３の外側を狩り固定し、取っ手１７ｅを操作して開閉蓋１７ｄを閉じることにより固定する。
【００１７】
これにより、平面らせん形蛍光灯２０を器具本体１２に取付け、脱落を防止して、電力の供給を行う。なお、反射板１６の凹部１８に平面らせん形蛍光灯２０のブリッジ２４が収容されていないと、ランプピン２１がランプソケット１７の可動部に当たり、開閉蓋１７ｄが閉じないので、導電板１７ｃに対するランプピン２１の不完全接触を防止することができる。
【００１８】
以上、説明した照明器具１０によれば、器具本体１２の反射板１６に、平面らせん形蛍光灯２０のブリッジ２４を収容する凹部１８を設けたので、平面らせん形蛍光灯２０を器具本体１２に取付けた際にブリッジ２４を収容することができ、照明器具１０の薄型化を図ることができる。
【００１９】
次に、本発明の第２実施形態について説明する。
図５は第２実施形態にかかる照明器具の斜視図、図６は平面らせん形蛍光灯のブリッジを凹部に嵌合させる状態を示す側面図である。なお、前述した第１実施形態にかかる照明器具と共通する部位には同じ符号を付して、重複する説明を省略することとする。
【００２０】
図５および図６に示すように、第２実施形態にかかる照明器具１０Ｂにおいては、凹部１８が平面らせん形蛍光灯２０のブリッジ２４の側面を押圧保持する構成となっている。このため、例えば、凹部１８の内側面に、凹部１８の内側へ突出する凸部１８ａを複数設けている。凸部１８ａは凹部１８の対向する側面に対向して設けることができるが、ずらして設けたり、一方の側面のみに設けることもできる。これにより、凸部１８ａの先端間の間隔あるいは凸部１８ａの先端と凹部１８の側面との間隔を、ブリッジ２４の幅よりも小さくして、ブリッジ２４の側面を押圧して保持する。
【００２１】
以上、説明した第２実施形態にかかる照明器具１０Ｂによれば、ブリッジ２４は凹部１８に収容されて、凸部１８ａにより押圧保持されるため、平面らせん形蛍光灯２０を保持する別部品（例えば、前述した支持バネ）を設けることなく、平面らせん形蛍光灯２０の水平方向移動および垂直方向移動を阻止することができ、部品点数を減少させて、コストダウンを図ることができる。
【００２２】
なお、本発明の照明器具は、前述した各実施形態に限定されるものでなく、適宜な変形，改良等が可能である。
例えば、前述した各実施形態においては、矩形箱状の器具本体１２を例示したが、これに限らず、例えば円形箱状等にも適用できる。
【図面の簡単な説明】
【００２３】
【図１】本発明の第１実施形態にかかる照明器具を示す分解斜視図
【図２】（Ａ）は平面らせん形蛍光灯の平面図、（Ｂ）は図２（Ａ）中Ｂ方向から見た正面図、
【図３】ランプソケットの斜視図
【図４】平面らせん形蛍光灯のブリッジを凹部に嵌めた状態を示す側面図
【図５】第２実施形態にかかる照明器具の斜視図
【図６】平面らせん形蛍光灯のブリッジを凹部に嵌合させる状態を示す側面図
【図７】従来の照明器具に用いられている蛍光ランプの一例であり、（Ａ）は発光面側から見た斜視図、（Ｂ）は発光面と反対側から見た斜視図
【図８】従来の照明器具に用いられている蛍光ランプの別の例を示す側面図
【符号の説明】
【００２４】
１０  照明器具
１２  器具本体
１７  ランプソケット
１８  凹部
２０  平面らせん形蛍光灯（蛍光ランプ）
２１  ランプピン
２２  発光管
２２ａ  中央部
２３  口金
２４  ブリッジ
【図１】
0005094437.tif 000002
【図２】
0005094437.tif 000003
【図３】
0005094437.tif 000004
【図４】
0005094437.tif 000005
【図５】
0005094437.tif 000006
【図６】
0005094437.tif 000007
【図７】
0005094437.tif 000008
【図８】
0005094437.tif 000009